(57)【特許請求の範囲】
【請求項１】
２以上のグループにグループ化された複数の端子を有し、前記グループに、２つ以上の前記端子の組であるブロックが含まれる端子台、に貼り付けられるラベルを作成するラベル作成装置であって、
前記ラベルに印刷される番号を、前記端子の番号である端子番号とするか、前記ブロックの番号であるブロック番号とするか、を選択するための表示番号選択部と、
前記グループ毎に、連番の先頭番号を指定するための先頭番号指定部と、
前記ラベルに印刷される番号として前記端子番号が選択されたときに、前記グループ毎に、指定した前記先頭番号から連続する連番を、前記各端子に割り当てて印刷し、前記ラベルに印刷される番号として前記ブロック番号が選択されたときに、前記グループ毎に、指定した前記先頭番号から連続する連番を、前記各ブロックに割り当てて印刷する連番印刷部と、を備えたことを特徴とするラベル作成装置。
【請求項２】
前記各グループには、順番が設定されており、
前記先頭番号指定部は、前記順番上の最初のグループを除く各グループについて、前記順番上１つ前のグループにおける連番の後尾番号に続く番号を、前記先頭番号を指定する時の初期値とすることを特徴とする請求項１に記載のラベル作成装置。
【請求項３】
グループ構成を指定するためのグループ構成指定部を、更に備え、
前記先頭番号指定部は、指定した前記グループ構成に基づく前記グループ毎に、連番の先頭番号を指定し、
前記連番印刷部は、前記ラベルに印刷される番号として前記端子番号が選択されたときに、指定した前記グループ構成に基づく前記グループ毎に、前記連番を、前記各端子に割り当てて印刷することを特徴とする請求項１または２に記載のラベル作成装置。
【請求項４】
前記ブロックの端子数を指定するためのブロック端子数指定部を、更に備え、
前記連番印刷部は、前記ラベルに印刷される番号として前記ブロック番号が選択されたときに、指定した前記端子数に基づく前記各ブロックに、前記連番を割り当てて印刷することを特徴とする請求項１ないし３のいずれか一項に記載のラベル作成装置。
【請求項５】
前記連番印刷部は、前記ラベルに印刷される番号として前記端子番号が選択されたときに、割り当てられた前記連番のうち、前記ブロックの後尾の番号を印刷し、後尾の番号以外の番号を省略して印刷することを特徴とする請求項１ないし４のいずれか一項に記載のラベル作成装置。
【請求項６】
２以上のグループにグループ化された複数の端子を有し、前記グループに、２つ以上の前記端子の組であるブロックが含まれる端子台、に貼り付けられるラベルを作成するラベル作成システムであって、
前記ラベルに印刷される番号を、前記端子の番号である端子番号とするか、前記ブロックの番号であるブロック番号とするか、を選択するための表示番号選択部と、
前記グループ毎に、連番の先頭番号を指定するための先頭番号指定部と、
前記ラベルに印刷される番号として前記端子番号が選択されたときに、前記グループ毎に、指定した前記先頭番号から連続する連番を、前記各端子に割り当てて印刷し、前記ラベルに印刷される番号として前記ブロック番号が選択されたときに、前記グループ毎に、指定した前記先頭番号から連続する連番を、前記各ブロックに割り当てて印刷する連番印刷部と、を備えたことを特徴とするラベル作成システム。
【発明の詳細な説明】
【技術分野】
【０００１】
本発明は、端子台における複数の端子の番号を印刷したラベルを作成するラベル作成装置およびラベル作成システムに関するものである。
【背景技術】
【０００２】
従来、この種のラベル作成装置（端子台記号紙印刷データ作成装置）として、入力手段と、入力手段から入力された各種データにより、ユーザー端子台記号紙シートデータを作成する演算手段と、作成したユーザー端子台記号紙シートデータを用紙に印刷する印刷手段と、を備えたものが知られている（特許文献１参照）。この装置は、ユーザー端子台記号紙シートデータを用紙に印刷することで、上記ラベルに相当する端子台記号紙を作成するものである。
また、本装置は、各端子に番号を自動的に割り付ける機能を有している。当該自動割付機能では、基数の設定、先頭番号の設定、および端子番号をつける順番の設定を行うと、設定した先頭番号から連続する番号（いわゆる連番）を、各端子に自動的に割り付ける。これによって、連番を付加した端子台記号紙を容易に作成することができるようになっている。
【先行技術文献】
【特許文献】
【０００３】
【特許文献１】特開２００６−１５０７３９号公報
【発明の概要】
【発明が解決しようとする課題】
【０００４】
しかしながら、上記装置の自動割付け機能では、１つの端子台記号紙の中で、１組（一連）の連番しか付加することができないという問題があった。例えば、端子台が上下２組の端子群を有している場合、図２（ａ）に示すように、上下の各組に別々の連番を付加したいという要請があるが、上記自動割付け機能では、図２（ｂ）に示すような、一体の一連の連番しか付加することができなかった。そのため、各組に別々の連番を付加したい場合には、自動割付け機能を使わずに、ユーザーが自ら、番号を１つずつ入力せざるを得なかった。このように、上記従来の構成では、ユーザビリティが著しく低かった。
【０００５】
本発明は、端子台における複数の端子の番号を印刷したラベルを作成する際、自由度の高い連番付加を行うことができるラベル作成装置およびラベル作成システムを提供することを課題としている。
【課題を解決するための手段】
【０００６】
本発明のラベル作成装置は、２以上のグループにグループ化された複数の端子を有する端子台の、複数の端子の番号を印刷したラベルを作成するラベル作成装置であって、グループ毎に、連番の先頭番号を指定するための先頭番号指定部と、グループ毎に、指定した先頭番号から連続する連番を、各端子に割り当てて印刷する連番印刷部と、を備えたことを特徴とする。
【０００７】
本発明のラベル作成システムは、２以上のグループにグループ化された複数の端子を有する端子台の、複数の端子の番号を印刷したラベルを作成するラベル作成システムであって、グループ毎に、連番の先頭番号を指定するための先頭番号指定部と、グループ毎に、指定した先頭番号から連続する連番を、各端子に割り当てて印刷する連番印刷部と、を備えたことを特徴とする。
【０００８】
これらの構成によれば、グループ毎に、連番の先頭番号を指定することができ、１つのラベル内において、グループ毎に、別々の連番を付加する（割り当てる）ことができる。そのため、自由度の高い連番付加を行うことができ、２組以上の連番を付加したラベルを容易に作成することができる。よって、ユーザビリティを向上させることができる。
【０００９】
この場合、各グループには、順番が設定されており、先頭番号指定部は、順番上の最初のグループを除く各グループについて、順番上１つ前のグループにおける連番の後尾番号に続く番号を、先頭番号を指定する時の初期値とすることが好ましい。
【００１０】
この構成によれば、順番上１つ前のグループにおける連番の後尾番号に続く番号が、先頭番号を指定する時の初期値となっているため、当該初期値をそのまま指定すれば、２つのグループに亘る一連の連番を付加することができる。このように、グループ毎に別々の連番を付加する機能を維持しつつ、グループ間で一連の連番を付加するのも容易に行うことができる。よって、ユーザビリティを更に向上させることができる。
【００１１】
また、グループ構成を指定するためのグループ構成指定部を、更に備え、先頭番号指定部は、指定したグループ構成に基づくグループ毎に、連番の先頭番号を指定し、連番印刷部は、指定したグループ構成に基づくグループ毎に、連番を、各端子に割り当てて印刷することが好ましい。
【００１２】
この構成によれば、より自由度の高い連番を付加することができる。
【００１３】
また、連番印刷部は、連番を、各端子に代え、２つ以上の端子の組である各ブロックに割り当てて印刷することが好ましい。
【００１４】
この場合、ブロックの端子数を指定するためのブロック端子数指定部を、更に備え、連番印刷部は、指定した端子数に基づく各ブロックに、連番を割り当てて印刷することが好ましい。
【００１５】
これらの構成によれば、番号をブロック単位で印刷するラベルの作成においても、上記自由度の高い連番付加を行うことができる。
【図面の簡単な説明】
【００１６】
【図１】本発明の一実施形態に係るラベル作成装置の構成を示したブロック図である。
【図２】パンチブロックラベルの作成例を示した図である。
【図３】（ａ）は、ブロック端子数選択画面を示した図であり、（ｂ）は、表示番号選択画面を示した図であり、（ｃ）は、第１先頭番号入力画面を示した図であり、（ｄ）は、第２先頭番号入力画面を示した図であり、（ｅ）は、枠長入力画面を示した図である。
【図４】パンチブロックラベルのラベル作成動作を示したフローチャートである。
【図５】パンチブロックラベルのラベル作成動作を示した画面遷移図である。
【発明を実施するための形態】
【００１７】
以下、添付の図面を参照し、本発明の一実施形態に係るラベル作成装置について説明する。このラベル作成装置は、長尺状の印刷テープに印刷を行い、印刷テープの印刷済み部分を切断して、ラベル（テープ片）を作成するテープ印刷装置である。特に、本ラベル作成装置は、パンチブロック（端子台）に貼り付けられるパンチブロックラベルを作成する機能（以下、パンチブロックラベル作成機能と呼称）を有するものである。
【００１８】
図１に示すように、ラベル作成装置１は、ディスプレイ１１と、キーボード１２と、カートリッジ装着部１３と、印刷部１４と、切断部１５と、制御部１６と、記憶部１７と、を備えている。
【００１９】
ディスプレイ１１は、ラベル作成における各種情報を表示するものであり、主に、各種選択画面や各種入力画面を表示する。
【００２０】
キーボード１２は、各種操作を行うための操作部であり、各種情報を選択する選択部や、各種情報を入力する入力部として機能する。
【００２１】
カートリッジ装着部１３は、長尺状の印刷テープを収容したテープカートリッジＣを着脱自在に装着する。テープカートリッジＣに収容された印刷テープは、表面に印刷画像が形成される記録テープと、粘着剤層により記録テープの裏面に貼着した剥離テープと、を積層して構成されている。当該印刷テープから作成されたラベルは、記録テープ部分から剥離テープ部分を剥がし、粘着剤層により記録テープ部分を、対象物に貼り付けることで利用される。
【００２２】
印刷部１４は、印刷ヘッド３１を有し、テープカートリッジＣから繰り出された印刷テープに対し印刷を行う。この印刷により、記録テープの表面に印刷画像を形成する。一方、切断部１５は、テープカッター３２を有し、印刷テープの印刷済み部分を切断する。本ラベル作成装置１では、印刷部１４により印刷テープに印刷を行いつつ、切断部１５により当該印刷済み部分を切断する（切り離す）ことで、表面に印刷画像が形成されたラベルを作成する。
【００２３】
制御部１６は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成されており、ラベル作成装置１全体を統括制御する。制御部１６は、記憶部１７に記憶された各プログラムを実行することで、ラベル作成装置１の各部を制御する。
【００２４】
記憶部１７は、フラッシュＲＯＭ等で構成されている。また、記憶部１７は、パンチブロックラベル作成機能に係るプログラムとして、ブロック端子数選択プログラム４１と、表示番号選択プログラム４２と、先頭番号入力プログラム４３と、枠長入力プログラム４４と、印刷データ生成プログラム４５と、ラベル作成プログラム４６と、を記憶している。本実施形態では、これらのプログラムを、制御部１６に実行させることで、パンチブロックラベル作成機能を実現している。ここで、各プログラムについて説明する前に、パンチブロックラベル作成機能で作成するパンチブロックラベルＲについて説明する。
【００２５】
図２に示すように、パンチブロックラベルＲは、複数の端子５１（ピン）を有するパンチブロックＰＢに貼り付けられるものである。このパンチブロックＰＢでは、複数の端子５１が、１つ目のグループである上列の第１グループＧ１と、２つ目のグループである下列の第２グループＧ２とにグループ分けされて配設されている。これに対し、パンチブロックラベルＲは、この両グループＧ１、Ｇ２の端子群の間に貼り付けられる。そして、同図に示すように、パンチブロックラベルＲは、主に、この複数の端子５１の端子番号６１や、この複数の端子５１における、２つ以上の端子５１の組であるブロック５２のブロック番号６２を表示するものである。このブロック５２は、パンチブロックＰＢに接続されるコネクターに対応するものであり、当該コネクターの端子数に合わせて、各ブロックの端子数（以下、ブロック端子数と呼称）が決まってくる。詳細は後述するが、このブロック端子数は、パンチブロックラベルＲを作成する際、ユーザーによって選択設定される。
【００２６】
図２（ａ）および（ｂ）は、端子番号６１を表示するパンチブロックラベルＲを示した図であり、図２（ｃ）は、ブロック番号６２を表示するパンチブロックラベルＲを示した図である。図２に示すように、パンチブロックラベルＲは、印刷テープを切断して成るテープ片６０に、複数の端子５１の端子番号６１または複数のブロック５２のブロック番号６２と、各ブロック５２を示す仕切り枠６３と、を印刷したものである。各端子番号６１および各ブロック番号６２は、テープ片６０の上部または下部において、各端子５１または各ブロック５２に合わせた位置に配置されている。そして、複数の端子番号６１および複数のブロック番号６２は、一連またはグループ毎の連番となっている。なお、図２（ａ）および（ｂ）に示すように、端子番号６１を表示するパンチブロックラベルＲでは、左端のブロック５２を除く各ブロック５２において、後尾の端子番号６１のみを印刷し、それ以外の端子番号６１の印刷を省略している。
【００２７】
ここで図１に戻り、ブロック端子数選択プログラム４１、表示番号選択プログラム４２、先頭番号入力プログラム４３、枠長入力プログラム４４、印刷データ生成プログラム４５およびラベル作成プログラム４６について説明する。
【００２８】
ブロック端子数選択プログラム４１は、ブロック端子数選択画面Ｄ１（図３（ａ）参照）を表示して、キーボード１２によるブロック端子数の選択（指定）を受け付けるプログラムである。すなわち、制御部１６は、ブロック端子数選択プログラム４１に従って、ブロック端子数選択画面Ｄ１を表示し、キーボード１２によるブロック端子数の選択を受け付ける。このように、「ブロック端子数指定部」は、キーボード１２、制御部１６およびブロック端子数選択プログラム４１により、構成されている。このブロック端子数の選択では、ブロック端子数として、２個（「２ｐａｉｒｓ」）、３個（「３ｐａｉｒｓ」）、４個（「４ｐａｉｒｓ」）および５個（「５ｐａｉｒｓ」）と、未選択（「ｂｌａｎｋ」）と、を選択可能となっている。
【００２９】
表示番号選択プログラム４２は、表示番号選択画面Ｄ２（図３（ｂ）参照）を表示して、キーボード１２による表示番号の選択（指定）を受け付けるプログラムである。すなわち、制御部１６は、表示番号選択プログラム４２に従って、表示番号選択画面Ｄ２を表示し、キーボード１２による表示番号の選択を受け付ける。この表示番号の選択では、パンチブロックラベルＲに表示する番号を、端子番号６１とするか、ブロック番号６２とするのか、を選択することができる。具体的には、表示番号として、端子番号６１（「ｐｉｎｓ」）と、ブロック番号６２（「ｓeｒｉ．」）と、未選択（「ｂｌａｎｋ」）と、を選択可能となっている。
【００３０】
先頭番号入力プログラム４３は、先頭番号入力画面Ｄ３、Ｄ４を表示して、キーボード１２による連番の先頭番号の入力を受け付けるプログラムである。すなわち、制御部１６は、先頭番号入力プログラム４３に従って、先頭番号入力画面Ｄ３、Ｄ４を表示し、キーボード１２による先頭番号の入力を受け付ける。このように、「先頭番号指定部」は、キーボード１２、制御部１６および先頭番号入力プログラム４３により、構成されている。この先頭番号の入力では、上記したグループ毎に、先頭番号を入力（指定）することができる。すなわち、制御部１６は、先頭番号入力プログラム４３に従い、第１グループＧ１の連番の先頭番号を入力する第１先頭番号入力画面Ｄ３（図３（ｃ）参照）を表示して、第１グループＧ１の連番の先頭番号の入力を受け付ける。また、制御部１６は、先頭番号入力プログラム４３に従い、第２グループＧ２の連番の先頭番号を入力する第２先頭番号入力画面Ｄ４（図３（ｄ）参照）を表示して、第２グループＧ２の連番の先頭番号の入力を受け付ける。なお、詳細は後述するが、第２グループＧ２の先頭番号の入力では、第１グループＧ１の連番の後尾番号に続く番号を、入力時の初期値としている。
【００３１】
枠長入力プログラム４４は、枠長入力画面Ｄ５（図３（ｅ）参照）を表示して、キーボード１２による仕切り枠６３の枠長Ｌ（図２（ａ）参照）の入力を受け付けるプログラムである。すなわち、制御部１６は、枠長入力プログラム４４に従って、枠長入力画面Ｄ５を表示し、キーボード１２による仕切り枠６３の枠長Ｌの入力を受け付ける。
【００３２】
印刷データ生成プログラム４５は、上記各選択の各選択結果および各入力の入力結果に基づいて、これらに応じたパンチブロックラベルＲを作成するための印刷データを生成するプログラムである。すなわち、制御部１６は、印刷データ生成プログラム４５に従い、上記各選択の各選択結果および各入力の入力結果に基づいて、当該印刷データを生成する。具体的には、ブロック端子数および枠長Ｌに基づいて、仕切り枠６３を生成すると共に、上記グループ毎に、ブロック端子数、表示番号および先頭番号に基づき、割当て対象となる端子５１やブロック５２の数に応じた、当該先頭番号から連続する連番を生成する。そして、生成した仕切り枠６３を所定の位置に配置すると共に、生成したグループ毎の連番を、各端子５１または各ブロック５２に割り当てて配置する。すなわち、生成したグループ毎の連番を、端子番号６１やブロック番号６２として、各グループ内の各端子５１または各ブロック５２に、左から順番に割り当て、各端子５１または各ブロック５２に対応した位置に配置する。これにより、印刷データを生成する。
【００３３】
なお、上記したように、表示番号として端子番号６１が選択されている場合には、端子番号６１の一部を省略する。すなわち、左端のブロック５２を除く各ブロック５２において、後尾の端子番号６１のみを配置し、それ以外の端子番号６１の配置を省略する。
【００３４】
ラベル作成プログラム４６は、印刷部１４および切断部１５を制御し、印刷データ生成プログラム４５により生成した印刷データに基づいて、印刷処理および切断処理（ラベル作成処理）を行うプログラムである。すなわち、制御部１６は、ラベル作成プログラム４６に従い、上記印刷データに基づいて、印刷処理および切断処理を行う。具体的には、印刷部１４により、印刷テープに印刷データを印刷すると共に、切断部１５により、印刷データに基づくテープ長で印刷テープを切断する。これらによって、パンチブロックラベルＲを作成する。なお、「連番印刷部」は、制御部１６、印刷データ生成プログラム４５およびラベル作成プログラム４６により、構成されている。
【００３５】
次に図４および図５を参照して、パンチブロックラベルを作成するラベル作成動作について説明する。本ラベル作成動作は、キーボード１２の操作によって、印刷モードとして、パンチブロックラベル作成機能を用いるパンチブロックラベル作成モードが選択され、パンチブロックラベル作成モードに移行した状態で行われるものとする。
【００３６】
図４に示すように、パンチブロックラベル作成モードに移行すると、制御部１６は、ブロック端子数選択プログラム４１に従って、ブロック端子数選択画面Ｄ１を表示し（Ｓ１）、ブロック端子数の選択を受け付ける（Ｓ２）（図５（ａ）参照）。これに対し、ユーザーは、キーボード１２により、ブロック端子数を選択する。なお、図示省略するが、この選択において、未選択（「ｂｌａｎｋ」）が選択された場合には、表示番号の選択（Ｓ３およびＳ４）および各先頭番号の選択（Ｓ５ないしＳ８）をスキップして、枠長Ｌの入力（Ｓ９およびＳ１０）に移行する。
【００３７】
ブロック端子数が選択されたら（Ｓ２：Ｙｅｓ）、制御部１６は、表示番号選択プログラム４２に従って、表示番号選択画面Ｄ２を表示し（Ｓ３）、表示番号の選択を受け付ける（Ｓ４）（図５（ｂ）参照）。これに対し、ユーザーは、キーボード１２により、表示番号を選択する。なお、図示省略するが、この選択において、未選択（「ｂｌａｎｋ」）が選択された場合には、各先頭番号の選択（Ｓ５ないしＳ８）をスキップして、枠長Ｌの入力（Ｓ９およびＳ１０）に移行する。
【００３８】
表示番号が選択されたら（Ｓ４：Ｙｅｓ）、制御部１６は、先頭番号入力プログラム４３に従って、第１先頭番号入力画面Ｄ３を表示し（Ｓ５）、第１グループＧ１の連番の先頭番号の入力を受け付ける（Ｓ６）（図５（ｃ）参照）。これに対し、ユーザーは、キーボード１２により、第１グループＧ１の連番の先頭番号を入力する。
【００３９】
第１グループＧ１の連番の先頭番号が入力されたら（Ｓ６：Ｙｅｓ）、制御部１６は、先頭番号入力プログラム４３に従って、第２先頭番号入力画面Ｄ４を表示し（Ｓ７）、第２グループＧ２の連番の先頭番号の入力を受け付ける（Ｓ８）（図５（ｄ）参照）。このとき、選択されたブロック端子数および表示番号と、入力された第１グループＧ１の連番の先頭番号とに基づき、第１グループＧ１の連番の後尾番号を算出し、この後尾番号に続く番号を、第２先頭番号の入力の初期値とする。すなわち、この後尾番号に続く番号を、初期値として、第２先頭番号入力画面Ｄ４に編集可能に表示する。例えば、ブロック端子数が２個であり、表示番号が端子番号６１である場合、第１グループＧ１で割り当てる番号の数は、２４個となる。そして、連番の先頭番号が「１」である場合、連番の後尾番号は、「２４」となる。よって、「２４」に続く「２５」を、第２先頭番号の入力の初期値とする。これに対し、ユーザーは、キーボード１２により、第２グループＧ２の連番の先頭番号を入力（指定）する。なお、上記初期値をそのまま、第２グループＧ２の連番の先頭番号とする場合には、入力を行わずに、そのまま、当該初期値を先頭番号として指定する。
【００４０】
第２グループＧ２の連番の先頭番号が入力（指定）されたら（Ｓ８：Ｙｅｓ）、制御部１６は、枠長入力プログラム４４に従って、枠長入力画面Ｄ５を表示し（Ｓ９）、枠長Ｌの入力を受け付ける（Ｓ１０）（図５（ｅ）参照）。これに対し、ユーザーは、キーボード１２により、枠長Ｌを入力する。
【００４１】
枠長Ｌが入力されたら（Ｓ１０：Ｙｅｓ）、制御部１６は、印刷データ生成プログラム４５に従って、上記各工程の選択結果および入力結果に基づき、印刷データを生成する（Ｓ１１）。すなわち、ブロック端子数および枠長Ｌに基づいて仕切り枠６３を生成すると共に、グループ毎に、ブロック端子数、表示番号および先頭番号に基づき、先頭番号から連続し、割当て対象となる端子５１やブロック５２の数に応じた連番を生成する。そして、生成した仕切り枠６３を所定の位置に配置すると共に、グループ毎に、生成した連番を各グループ内の各端子５１または各ブロック５２に割り当てて配置し、印刷データを生成する。これによって、グループ毎の連番が付加された印刷データが生成される。なお、ブロック端子数の選択（Ｓ２）や表示番号の選択（Ｓ４）で、未選択（「Ｂｌａｎｋ」）が選択されている場合には、連番を生成、配置せずに、仕切り枠６３のみの印刷データを生成する。
【００４２】
印刷データを生成したら、制御部１６は、ラベル作成プログラム４６に従って、印刷部１４および切断部１５を制御し、印刷データに基づく印刷処理および切断処理を行う（Ｓ１２）。当該印刷データにおいては、グループ毎の連番が、端子番号６１またはブロック番号６２として、当該各グループ内の各端子５１または各ブロック５２に割り当てて配置されている。そのため、この印刷処理によって、各グループの連番が、当該各グループ内の各端子または各ブロックに割り当てて印刷されることになる。これにより、グループ毎の連番が付加されたパンチブロックラベルＲが作成される。これによって、本ラベル作成動作を終了する。
【００４３】
以上のような構成によれば、グループ毎に、連番の先頭番号を指定することができ、グループ毎に、指定した先頭番号から連続する連番を、端子番号６１またはブロック番号６２として、各端子５１または各ブロック５２に割り当てて印刷する構成であるため、１つのパンチブロックラベルＲ内において、グループ毎に、別々の連番を付加する（割り当てる）ことができる。そのため、自由度の高い連番付加を行うことができ、２組以上の連番を付加したパンチブロックラベルＲを容易に作成することができる。よって、ユーザビリティを向上させることができる。
【００４４】
また、順番上の最初のグループを除く各グループについて、順番上１つ前のグループにおける連番の後尾番号に続く番号を、先頭番号を指定する時の初期値とすることで、当該初期値をそのまま指定すれば、２つのグループに亘る一連の連番を付加することができる。そのため、グループ毎に別々の連番を付加する機能を維持しつつ、グループ間で一連の連番を付加するのも容易に行うことができる。よって、ユーザビリティを更に向上させることができる。
【００４５】
なお、上記実施形態においては、ブロック５２を、コネクターに対応したものとしたが、複数のコネクターを一まとめにしたコネクターユニットをパンチブロックＰＢに接続することも考えられるため、ブロック５２を、当該コネクターユニットに対応したものとしても良い。
【００４６】
また、上記実施形態においては、端子番号６１やブロック番号６２を表示するパンチブロックラベルＲを作成する構成であったが、端子番号６１やブロック番号６２に加え、端子５１やブロック５２の接続先名称を表示するパンチブロックラベルＲを作成する構成であっても良い。また、かかる場合、接続先名称についても、グループ毎の連番を用いることが好ましい。すなわち、接続先名称について、グループ毎の連番の先頭番号を入力（指定）し、グループ毎の連番を生成して、各端子５１や各ブロック５２に割り当てて印刷する。例えば、第１グループＧ１の先頭番号として、「会議室１」が入力され、「会議室１」から連続する連番（会議室１、会議室２、会議室３、…）を生成すると共に、第２グループＧ２の先頭番号として、「応接室１」が入力され、「応接室１」から連続する連番（応接室１、応接室２、応接室３、…）を生成する。そして、これらを接続先名称として各端子５１や各ブロック５２に割り当てて印刷する。
【００４７】
さらに、上記実施形態においては、上列の端子群を第１グループＧ１とし、下列の端子群を第２グループＧ２とし、グループ毎に連番を付加する構成であったが、グループ構成については、これに限るものではない。例えば、上列の端子群および下列の端子群をそれぞれ左右に２分または４分し、４グループや８グループにグループ分けして、４組または８組の連番を付加する構成であっても良い。また、このグループ構成を、ユーザーが任意に設定することができるようにしても良い。すなわち、ラベル作成装置１が、ユーザーがグループ構成を選択（指定）するためのグループ構成指定部（制御部１６およびグループ構成選択プログラム）を更に備える。そして、先頭番号指定部（キーボード１２、制御部１６および先頭番号入力プログラム４３）は、グループ構成指定部により指定したグループ構成に基づくグループ毎に、連番の先頭番号を指定する。また、連番印刷部（制御部１６、印刷データ生成プログラム４５およびラベル作成プログラム４６）は、グループ構成指定部により指定したグループ構成に基づくグループ毎に、先頭番号から連続する連番を、各端子５１または各ブロック５２に割り当てて印刷する。このような構成によれば、より自由度の高い連番付加を行うことができる。
【００４８】
なお、上記実施形態においては、横倒し姿勢で設置されたパンチブロックＰＢに貼り付けるパンチブロックラベルＲを作成するものであったが、直立姿勢で設置されたパンチブロックＰＢに貼り付けるパンチブロックラベルＲを作成する構成であっても良い。ひいては、これを、ユーザーが選択可能とする構成であっても良い。なお、直立姿勢で設置されたパンチブロックＰＢに貼り付けるパンチブロックラベルＲを作成する場合には、図２に示したパンチブロックラベルＲの各端子番号６１およびブロック番号６２を横倒しに印刷する。
【００４９】
また、上記実施形態においては、ラベル作成装置１に、本発明を適用したが、ホストコンピューター１０１とラベル作成装置１とを接続して成るラベル作成システムＳＹに、本発明を適用しても良い。かかる場合、ホストコンピューターの記憶部が、ブロック端子数選択プログラム４１、表示番号選択プログラム４２、先頭番号入力プログラム４３、枠長入力プログラム４４および印刷データ生成プログラム４５を記憶し、ホストコンピューター側で、上記各選択および各入力を受け付け、これに基づいて印刷データを生成する。一方、ラベル作成装置１の記憶部１７が、ラベル作成プログラム４６を記憶し、ラベル作成装置１側で、ホストコンピューターで生成された印刷データに基づく印刷処理および切断処理を行う。
【符号の説明】
【００５０】
１：ラベル作成装置、  １２：キーボード、  １６：制御部、  ５１：端子、  ５２：ブロック、  ４３：先頭番号入力プログラム、  ４５：印刷データ生成プログラム、  ４６：ラベル作成プログラム、  ＰＢ：パンチブロック、  Ｒ：パンチブロックラベル。
【図１】
0006447076.tif 000002
【図２】
0006447076.tif 000003
【図３】
0006447076.tif 000004
【図４】
0006447076.tif 000005
【図５】
0006447076.tif 000006